(57)【要約】【課題】周囲環境の明るさ等に応じて表示階調数を変えることなく表示の輝度を制御可能にすること。【解決手段】電源ドライバ１４０より、表示パネル１１０の複数の行を、８つの表示領域Ｈ１〜Ｈ８に区分し、走査ドライバ１２０により選択状態とされる行を含む少なくとも１つの表示領域からなる第１の表示領域に表示画素を非表示動作状態とする電圧値の第１の電源電圧を供給して非表示動作状態とし、選択状態とされる行の表示画素を書込動作状態にしてデータドライバ１３０から供給される駆動信号を書き込み、複数の表示領域から第１の表示領域を除いた第２の表示領域に、表示画素を表示動作状態とする電圧値の第２の電源電圧を供給して表示動作状態とし、表示領域の総数に対する第２の表示領域における表示領域の数の比率を可変制御して、表示輝度を制御する。【選択図】図１１
2010072112.tif 000002
【特許請求の範囲】
【請求項１】
複数の行及び複数の列に沿って複数の表示画素が２次元配列された表示パネルを備えて、該表示パネルに表示データに基づく画像情報を表示する表示装置において、
前記表示パネルの前記各行に配列された前記各表示画素に選択信号を順次印加して、前記各行の前記各表示画素を順次選択状態に設定する選択駆動部と、
前記表示データに基づく駆動信号を前記各表示画素に供給するデータ駆動部と、
前記表示パネルの前記複数の行を、少なくとも１行に対応する前記各表示画素からなる複数の表示領域に区分し、前記選択状態とされる行を含む１つの前記表示領域からなる第１の表示領域に前記表示画素を非表示動作状態とする電圧値を有する第１の電源電圧を印加して、前記選択状態とされる行に対応する前記各表示画素を、前記駆動信号を書き込む書込動作状態にし、前記複数の表示領域から前記第１の表示領域を除いた第２の表示領域に前記第１の電源電圧又は前記表示画素を表示動作状態とする電圧値を有する第２の電源電圧の何れかを選択して印加する電源駆動部と、
前記第２の表示領域において、前記電源駆動部より前記第１の電源電圧を印加する前記表示領域の数と前記第１の電源電圧を印加する前記表示領域の数との比率を可変制御する制御部と、
を備えることを特徴とする表示装置。
【請求項２】
前記各表示領域は、前記表示パネルにおける隣接する所定の数の行に対応する前記各表示画素からなることを特徴とする請求項１記載の表示装置。
【請求項３】
前記各表示領域は、前記表示パネルにおける、互いに離間した所定の数の行に対応する前記各表示画素からなることを特徴とする請求項１記載の表示装置。
【請求項４】
前記表示パネルは、前記複数の行の各々に沿って設けられ、前記電源駆動部から前記第１の電源電圧又は前記第２の電源電圧の何れか印加される複数の電源ラインを有し、
前記各表示領域は、前記所定の数の行に対応する前記所定の数の前記電源ラインを有し、
前記電源駆動部は、該各表示領域の前記所定の数の前記電源ラインに前記第１の電源電圧又は前記第２の電源電圧を共通に印加することを特徴とする請求項１乃至３の何れかに記載の表示装置。
【請求項５】
前記制御部は、前記比率の設定値が外部から供給され、該供給された前記設定値に応じて前記比率の値を可変制御することを特徴とする請求項１乃至４の何れかに記載の表示装置。
【請求項６】
前記制御部は、当該表示装置の周辺環境の明るさを検知し、該検知された周辺環境の明るさに応じて前記比率の値を可変制御することを特徴とする請求項１乃至４の何れかに記載の表示装置。
【請求項７】
前記電源駆動部は、前記第２の表示領域における少なくとも１つの前記表示領域に対して、前記電源駆動部より、前記第１の電源電圧と前記第２の電源電圧とを、互いに重ならないタイミングで供給し、
前記制御部は、前記電源駆動部より前記第１の電源電圧と前記第２の電源電圧とを印加する時間の比率を可変制御することを特徴とする請求項１乃至６の何れかに記載の表示装置。
【請求項８】
前記制御部は、前記時間の比率の設定値が外部から供給され、該供給された前記設定値に応じて前記時間比率の値を可変制御することを特徴とする請求項７記載の表示装置。
【請求項９】
前記制御部は、当該表示装置の周辺環境の明るさを検知し、該検知された周辺環境の明るさに応じて前記時間の比率の値を可変制御することを特徴とする請求項７記載の表示装置。
【請求項１０】
複数の行及び複数の列に沿って複数の表示画素が２次元配列された表示パネルを備えて、該表示パネルに表示データに基づく画像情報を表示する表示装置の駆動制御方法であって、
前記表示パネルは、少なくとも１行に対応する前記各表示画素からなる複数の表示領域に区分され、
前記表示パネルの前記各行に配列された前記各表示画素に選択信号を順次印加して、前記各行の前記各表示画素を順次選択状態に設定するステップと、
前記表示データに基づく駆動信号を前記選択状態とされた前記各表示画素に供給するステップと、
前記選択状態とされる行を含む１つの前記表示領域からなる第１の表示領域に前記表示画素を非表示動作状態とする第１の電源電圧を印加して、前記選択状態とされる行に対応する前記各表示画素を、前記駆動信号を書き込む書込動作状態にするステップと、
前記複数の表示領域から前記第１の表示領域を除いた第２の表示領域に、前記第１の電源電圧又は前記表示画素を表示動作状態とする電圧値を有する第２の電源電圧を選択して印加し、該第２の表示領域における前記第１の電源電圧を印加する前記表示領域の数と前記第２の電源電圧を印加する前記表示領域の数との比率を可変制御するステップと、
を含むことを特徴とする表示装置の駆動制御方法。
【請求項１１】
前記第２の表示領域における少なくとも１つの前記表示領域に対して、前記第１の電源電圧と前記第２の電源電圧とを、互いに重ならないタイミングで、可変制御される時間比率の値に基づく時間の比率で印加するステップを含むことを特徴とする請求項１０記載の表示装置の駆動制御方法。
【請求項１２】
複数の行及び複数の列に沿って複数の表示画素が２次元配列された表示パネルを備えて、該表示パネルに表示データに基づく画像情報を表示する表示装置において、
前記表示パネルの前記各行に配列された前記各表示画素に選択信号を順次印加して、前記各行の前記各表示画素を順次選択状態に設定する選択駆動部と、
前記表示データに基づく駆動信号を前記各表示画素に供給するデータ駆動部と、
前記表示パネルの前記複数の行を、少なくとも１行に対応する前記各表示画素からなる複数の表示領域に区分し、前記選択状態とされる行を含む１つの前記表示領域からなる第１の表示領域に前記表示画素を非表示動作状態とする電圧値を有する第１の電源電圧を印加し、前記選択状態とされる行に対応する前記各表示画素を、前記駆動信号を書き込む書込動作状態にし、前記複数の表示領域から前記第１の表示領域を除いた第２の表示領域に、前記第１の電源電圧又は前記表示画素を表示動作状態とする電圧値を有する第２の電源電圧の何れかを印加し、該第２の表示領域における少なくとも１つの前記表示領域に対して、前記第１の電源電圧と前記第２の電源電圧とを、互いに重ならないタイミングで、所定の時間比率で印加する電源駆動部と、
を備えることを特徴とする表示装置。
【請求項１３】
前記各表示領域は、前記表示パネルにおける隣接する所定の数の行に対応する前記各表示画素からなることを特徴とする請求項１２記載の表示装置。
【請求項１４】
前記各表示領域は、前記表示パネルにおける、互いに離間した所定の数の行に対応する前記各表示画素からなることを特徴とする請求項１２記載の表示装置。
【請求項１５】
前記時間比率の値は、外部から供給される設定値に基づいて可変制御されることを特徴とする請求項１２乃至１４の何れかに記載の表示装置。
【請求項１６】
複数の行及び複数の列に沿って複数の表示画素が２次元配列された表示パネルを備えて、該表示パネルに表示データに基づく画像情報を表示する表示装置の駆動制御方法であって、
前記表示パネルは、少なくとも１行に対応する前記各表示画素からなる複数の表示領域に区分され、
前記表示パネルの前記各行に配列された前記各表示画素に選択信号を順次印加して、前記各行の前記各表示画素を順次選択状態に設定するステップと、
前記表示データに基づく駆動信号を前記選択状態とされた前記各表示画素に供給するステップと、
前記選択状態とされる行を含む１つの前記表示領域からなる第１の表示領域に前記表示画素を非表示動作状態とする電圧値を有する第１の電源電圧を印加して、前記選択状態とされる行に対応する前記各表示画素を、前記駆動信号を書き込む書込動作状態にするステップと、
前記複数の表示領域から前記第１の表示領域を除いた第２の表示領域に、前記第１の電源電圧又は前記表示画素を表示動作状態とする電圧値を有する第２の電源電圧の何れかを印加し、該第２の表示領域における少なくとも１つの前記表示領域に対して、前記第１の電源電圧と前記第２の電源電圧とを、互いに重ならないタイミングで、所定の時間比率で印加するステップと、
を含むことを特徴とする表示装置の駆動制御方法。
【発明の詳細な説明】
【技術分野】
【０００１】
本発明は、複数の有機ＥＬ素子をマトリックス状に配列して成る表示パネルを有する表示装置及びその駆動制御方法に関する。
【背景技術】
【０００２】
従来、有機エレクトロルミネッセンス素子（以下、「有機ＥＬ素子」と略記する）、無機エレクトロルミネッセンス素子（以下、「無機ＥＬ素子」と略記する）、或いは発光ダイオード（ＬＥＤ）等のような自己発光型の発光素子を、マトリックス状に配列した表示パネルを備えた発光素子型のディスプレイ（表示装置）が知られている。特に、アクティブマトリックス駆動方式を適用した発光素子型ディスブレイは、近年普及が著しい液晶表示装置（ＬＣＤ）に比較して表示応答速度が速く、視野角依存性もなく、また、高輝度・高コントラスト化、表示画質の高精細化、低消費電力化等が可能であるとともに、液晶表示装置の場合のように、バックライトを必要としないので一層の薄型軽量化が可能であるという極めて優位な特徴を有している。
【０００３】
このようなディスプレイにおいては、発光素子を発光制御するための駆動制御機構や制御方法が種々提案されている。例えば、表示パネルを構成する各表示画素ごとに、上記発光素子に加えて、該発光素子を発光制御するための複数のスイッチング手段からなる駆動回路（以下、便宜的に、「画素駆動回路」と称する）を備えたものが知られている。  
現在、有機ＥＬ素子のアクティブ駆動方式としては、各種の駆動方式の開発が行われている。各画素の発光強度は、予めデータラインから書き込まれた信号に応じて発光することを基本としている。  
なお、有機ＥＬ素子の駆動制御に関する技術としては、例えば特許文献１がある。
【特許文献１】特開２００３−１９５８１０号公報
【発明の開示】
【発明が解決しようとする課題】
【０００４】
一般的に、ディスプレイの表示輝度の適正値は、周辺環境の明るさ使用者の好み等によって変化する。例えば、周囲環境が明るいところでは、人間の視覚（眼）が明るい環境でなれるので、ディスプレイの適正の輝度を明るくすべきである。一方、周囲環境が暗いところでは、人間の視覚（眼）が暗い環境で慣れてしまうので、ディスプレイの輝度の適正値を低くする。つまり、人間の視覚（眼）に見やすいディスプレイとは、周囲環境の明るさに応じて表示の輝度を制御する必要がある。
【０００５】
従来の有機ＥＬディスプレイでは、表示の輝度を制御するのに画素に書き込むデータを変化させる必要があった。この方法により有機ＥＬディスプレイの明るさを低く設定するためには、画素に書き込むデータの値を小さくすればよいが、単純に、低い階調のみを使用して表示を行うと、当然表現できる階調数が少なくなる。  
又、有機ＥＬディスプレイを駆動するときの最大のデータ電圧を変化させる場合、１bit変化したときの電圧幅を非常に小さくしなければならないため、有機ＥＬディスプレイに表示されるデータの精度が厳しくなると共に、有機ＥＬディスプレイの表示パネル自身の均一性、データに対する再現性も厳しくなってしまう。又、有機ＥＬディスプレイを駆動するときの最大のデータ電圧を変化させる場合、γ特性も変化してしまうなどの問題もある。
【０００６】
本発明の目的は、周囲環境の明るさ等に応じて表示階調数を変えることなく表示の輝度を制御可能とする表示装置及びその駆動制御方法を提供することにある。
【課題を解決するための手段】
【０００７】
本発明の主要な局面に係る表示装置は、複数の行及び複数の列に沿って複数の表示画素が２次元配列された表示パネルを備えて、該表示パネルに表示データに基づく画像情報を表示するもので、表示パネルの各行に配列された各表示画素に選択信号を順次印加して、各行の各表示画素を順次選択状態に設定する選択駆動部と、表示データに基づく駆動信号を各表示画素に供給するデータ駆動部と、表示パネルの複数の行を、少なくとも１行に対応する各表示画素からなる複数の表示領域に区分し、選択状態とされる行を含む１つの表示領域からなる第１の表示領域に表示画素を非表示動作状態とする電圧値を有する第１の電源電圧を印加して、選択状態とされる行に対応する各表示画素を、駆動信号を書き込む書込動作状態にし、複数の表示領域から第１の表示領域を除いた第２の表示領域に第１の電源電圧又は表示画素を表示動作状態とする電圧値を有する第２の電源電圧の何れかを選択して印加する電源駆動部と、第２の表示領域において、電源駆動部より第１の電源電圧を印加する表示領域の数と第１の電源電圧を印加する表示領域の数との比率を可変制御する制御部とを備える。
【０００８】
本発明の主要な局面に係る表示装置の駆動制御方法は、複数の行及び複数の列に沿って複数の表示画素が２次元配列された表示パネルを備えて、該表示パネルに表示データに基づく画像情報を表示するもので、表示パネルは、少なくとも１行に対応する各表示画素からなる複数の表示領域に区分され、表示パネルの各行に配列された各表示画素に選択信号を順次印加して、各行の各表示画素を順次選択状態に設定するステップと、表示データに基づく駆動信号を選択状態とされた各表示画素に供給するステップと、選択状態とされる行を含む１つの表示領域からなる第１の表示領域に表示画素を非表示動作状態とする第１の電源電圧を印加して、選択状態とされる行に対応する各表示画素を、駆動信号を書き込む書込動作状態にするステップと、複数の表示領域から第１の表示領域を除いた第２の表示領域に、第１の電源電圧又は表示画素を表示動作状態とする電圧値を有する第２の電源電圧を選択して印加し、該第２の表示領域における第１の電源電圧を印加する表示領域の数と第２の電源電圧を印加する表示領域の数との比率を可変制御するステップとを含む。
【０００９】
本発明の主要な局面に係る表示装置は、複数の行及び複数の列に沿って複数の表示画素が２次元配列された表示パネルを備えて、該表示パネルに表示データに基づく画像情報を表示するもので、表示パネルの各行に配列された各表示画素に選択信号を順次印加して、各行の各表示画素を順次選択状態に設定する選択駆動部と、表示データに基づく駆動信号を各表示画素に供給するデータ駆動部と、表示パネルの複数の行を、少なくとも１行に対応する各表示画素からなる複数の表示領域に区分し、選択状態とされる行を含む１つの表示領域からなる第１の表示領域に表示画素を非表示動作状態とする電圧値を有する第１の電源電圧を印加し、選択状態とされる行に対応する各表示画素を、駆動信号を書き込む書込動作状態にし、複数の表示領域から第１の表示領域を除いた第２の表示領域に、第１の電源電圧又は表示画素を表示動作状態とする電圧値を有する第２の電源電圧の何れかを印加し、該第２の表示領域における少なくとも１つの表示領域に対して、第１の電源電圧と第２の電源電圧とを、互いに重ならないタイミングで、所定の時間比率で印加する電源駆動部とを備える。
【００１０】
本発明の主要な局面に係る表示装置の駆動制御方法は、複数の行及び複数の列に沿って複数の表示画素が２次元配列された表示パネルを備えて、該表示パネルに表示データに基づく画像情報を表示するもので、表示パネルは、少なくとも１行に対応する各表示画素からなる複数の表示領域に区分され、表示パネルの各行に配列された各表示画素に選択信号を順次印加して、各行の各表示画素を順次選択状態に設定するステップと、表示データに基づく駆動信号を選択状態とされた各表示画素に供給するステップと、選択状態とされる行を含む１つの表示領域からなる第１の表示領域に表示画素を非表示動作状態とする電圧値を有する第１の電源電圧を印加して、選択状態とされる行に対応する各表示画素を、駆動信号を書き込む書込動作状態にするステップと、複数の表示領域から第１の表示領域を除いた第２の表示領域に、第１の電源電圧又は表示画素を表示動作状態とする電圧値を有する第２の電源電圧の何れかを印加し、該第２の表示領域における少なくとも１つの表示領域に対して、第１の電源電圧と第２の電源電圧とを、互いに重ならないタイミングで、所定の時間比率で印加するステップとを含む。
【発明の効果】
【００１１】
本発明によれば、周囲環境の明るさに応じて表示の輝度を制御可能とする表示装置及びその駆動制御方法を提供できる。
【発明を実施するための最良の形態】
【００１２】
＜第１の実施形態＞
先ず、本発明の第１の実施の形態について図面を参照して説明する。  
図１は、本発明に係わる表示パネル駆動装置の第１の実施形態における全体構成図を示し、図２は、同装置における表示パネルの構成図を示す。表示パネル駆動装置（表示装置）１００は、表示パネル（画素アレイ）１１０を備える。この表示パネル１１０には、相互に並行して配設された複数の走査ライン（走査線）ＳＬと、電源ライン（電源線）ＶＬと、複数のデータライン（信号線）ＤＬとと、が配置されている。これら走査ラインＳＬと電源ラインＶＬと複数のデータラインＤＬとの各交点近傍には、それぞれ画素駆動回路ＤＣ及び有機ＥＬ素子（発光素子）ＯＥＬから成る複数の表示画素が配置されている。これら表示画素は、表示パネル（画素アレイ）１１０中にマトリクス状に配列されている。
【００１３】
又、表示パネル駆動装置１００は、走査ドライバ（走査駆動手段）１２０と、データドライバ（信号駆動手段）１３０と、電源ドライバ（電源駆動手段）１４０と、システムコントローラ１５０と、表示信号生成回路１６０とを備える。  
このうち走査ドライバ１２０は、表示パネル１１０の走査ラインＳＬに接続され、各走査ラインＳＬに所定のタイミングで順次ハイレベルの走査信号Ｖｓｅｌを印加することにより、行（ライン）ごとの表示画素群を選択状態に制御する。
【００１４】
データドライバ１３０は、表示パネル１１０のデータラインＤＬに接続され、データラインＤＬへの表示データに応じた信号電流（階調電流Ｉｐｉｘ）の供給状態を制御する。  
電源ドライバ１４０は、表示パネル１１０の走査ラインＳＬに並行して配設された電源ラインＶＬに接続され、各電源ラインＶＬに所定のタイミングで順次ハイレベル又はローレベルの電源電圧Ｖｓｃを印加することにより、表示画素群に表示データに応じた所定の信号電流（階調電流、駆動電流）を流下させる。
【００１５】
システムコントローラ１５０は、表示信号生成回路１６０から供給されるタイミング信号に基づいて少なくとも走査ドライバ１２０とデータドライバ１３０と電源ドライバ１４０との各動作状態を制御する走査制御信号とデータ制御信号と電源制御信号とをそれぞれ生成して出力する。  
表示信号生成回路１６０は、表示装置１００の外部から供給される映像信号に基づいて表示データを生成してデータドライバ１３０に供給すると共に、この生成した表示データを表示パネル１１０に画像表示するためのタイミング信号（システムクロック等）を生成又は抽出してシステムコントローラ１５０に供給する。
【００１６】
次に、表示パネル１１０の構成について説明する。  
表示パネル１１０にマトリクス状に配列された各表示画素は、図２に示すように画素駆動回路ＤＣと、有機ＥＬ素子ＯＥＬとを有する。このうち画素駆動回路ＤＣは、走査ドライバ１２０から走査ラインＳＬを通して印加される走査信号Ｖｓｅｌと、信号ドライバ１３０からデータラインＤＬを通して供給される信号電流と、電源ドライバ１４０から電源ラインＶＬを通して印加される電源電圧Ｖｓｃとに基づいて当該表示画素への書込動作及び有機ＥＬ素子ＯＥＬの発光動作を制御する。有機ＥＬ素子ＯＥＬは、供給される駆動電流の電流値に応じて発光輝度が制御される。  
ここで、画素駆動回路ＤＣは、概略、走査信号に基づいて該表示画素の選択／非選択状態を制御し、選択状態において表示データに応じた階調電流を取り込んで電圧レベルとして保持し、非選択状態において上記保持した電圧レベルに応じた駆動電流を流して有機ＥＬ素子ＯＥＬを発光する動作を所定期間維持する。
【００１７】
走査ドライバ１２０は、システムコントローラ１５０から供給される走査制御信号に基づいて各走査ラインＳＬにハイレベルの走査信号Ｖｓｅｌを順次印加することにより、各行（ライン）ごとの表示画素を選択状態とし、データドライバ１３０によりデータラインＤＬを介して供給された表示データに基づく階調電流Ｉｐｉｘを表示画素に書き込むように制御する。  
具体的に、走査ドライバ１２０は、図２に示すようにシフトレジスタとバッファからなるシフトブロックＳＢ１、ＳＢ２、…、を、各走査ラインＳＬごとに対応して複数段備え、システムコントローラ１５０から供給される走査制御信号（走査スタート信号ＳＳＴＲ、走査クロック信号ＳＣＬＫ等）に基づいてシフトレジスタにより表示パネル１１０の上方から下方に順次シフトしながら生成されたシフト出力を、バッファを介して所定の電圧レベル（ハイレベル）を有する走査信号Ｖｓｅｌとして各走査ラインＳＬに印加する。
【００１８】
データドライバ１３０は、システムコントローラ１５０から供給されるデータ制御信号（出力イネーブル信号ＯＥ、データラッチ信号ＳＴＢ、サンプリングスタート信号ＳＴＲ、シフトクロック信号ＣＬＫ等）に基づいて、表示信号生成回路１６０から供給される表示データを所定のタイミングで取り込んで保持し、所定のタイミングで該表示データに対応する階調電圧Ｖｐｉｘを各データラインＤＬに供給する。
【００１９】
システムコントローラ１５０は、走査ドライバ１２０とデータドライバ１３０と電源ドライバ１４０とのそれぞれに対して動作状態を制御する走査制御信号と、データ制御信号（上述した走査シフトスタート信号ＳＳＴＲや走査クロック信号ＳＣＬＫ、シフトスタート信号ＳＴＲやシフトクロック信号ＣＬＫ、ラッチ信号ＳＴＢ、出力イネ−ブル信号ＯＥ等）と、電源制御信号（電源スタート信号ＶＳＴＲ、電源クロック信号ＶＣＬＫ等）と、を出力することにより走査ドライバ１２０とデータドライバ１３０と電源ドライバ１４０との各ドライバを所定のタイミングで動作させて走査信号Ｖｓｅｌと階調電圧Ｖｐｉｘと電源電圧Ｖｓｃとを生成して出力し、各画素駆動回路ＤＣにおける駆動制御動作（表示装置の駆動制御方法）を実行させて所定の映像信号に基づく画像情報を表示パネル１１０に表示させる制御を行う。
【００２０】
電源ドライバ１４０は、システムコントローラ１５０から供給される電源制御信号に基づいて走査ドライバ１２０により各行ごとの表示画素群が選択状態に設定されるタイミングに同期して電源ラインＶＬにローレベルの電源電圧Ｖｓｃｌ（例えば、接地電位以下の電圧レベル）を印加することにより電源ラインＶＬから表示画素（画素駆動回路ＤＣ）を介してデータドライバ１３０に向かう方向に表示データに基づく階調電流Ｉｐｉｘに対応する書込電流（シンク電流）を引き込み、一方、走査ドライバ１２０により各行ごとの表示画素群が非選択状態に設定されるタイミングに同期して電源ラインＶＬにハイレベルの電源電圧Ｖｓｃｈを印加することにより電源ラインＶＬから表示画素（画素駆動回路）を介して有機ＥＬ素子ＯＥＬに向かう方向に表示データに基づく階調電圧Ｖｐｉｘに対応する駆動電流を流すように制御するとともに、表示画素群が非選択状態に設定され、且つ、後述する非発光動作状態とされる行の電源ラインＶＬにもローレベルの電源電圧Ｖｓｃｌを印加する。
【００２１】
この電源ドライバ１４０は、図２に示すように概略、上記走査ドライバ１２０と同様に、シフトレジスタとバッファからなるシフトブロックＳＢ１、ＳＢ２、…を、各電源ラインＶＬごとに対応して複数段備え、システムコントローラから供給される走査制御信号と同期する電源制御信号（アノード制御データＡＳＤ、電源クロック信号ＶＣＬＫ等）に基づいてシフトレジスタにより表示パネル１１０の上方から下方に順次シフトしながら生成したシフト出力をバッファを介して所定の電圧レベル（走査ドライバによる選択状態及び非発光動作状態においてはローレベル、非選択状態においてはハイレベル）を有する電源電圧Ｖｓｃｌ、Ｖｓｃｈとして各電源ラインＶＬに印加する。
【００２２】
表示信号生成回路１６０は、例えば、表示装置の外部から供給される映像信号から輝度階調信号成分を抽出し、表示パネル１１０の１行分ごとに表示データとしてデータドライバ１３０に供給する。ここで、上記映像信号がテレビ放送信号（コンポジット映像信号）のように画像情報の表示タイミングを規定するタイミング信号成分を含む場合、表示信号生成回路１６０は、上記輝度階調信号成分を抽出する機能の他、タイミング信号成分を抽出してシステムコントローラ１５０に供給する機能を有してもよい。この場合、システムコントローラ１５０は、表示信号生成回路１６０から供給されるタイミング信号に基づいて走査ドライバ１２０と、データドライバ１３０と、電源ドライバ１４０とに対して供給する走査制御信号、データ制御信号、電源制御信号を生成する。
【００２３】
なお、上記実施の形態では、表示パネル１１０の周辺に付設されるドライバとして上記図１及び図２に示すように走査ドライバ１２０、データドライバ１３０及び電源ドライバ１４０を個別に配置した構成について説明したが、これに限定されるものではなく、例えば図３に示すように、走査ドライバ１２０Ａが、走査信号を生成して印加する機能と電源電圧Ｖｓｃを生成して印加する機能とを兼ね備えていてもよい。
【００２４】
次に、表示画素に適用される画素駆動回路ＤＣの具体的な構成について説明する。  
図４は各画素駆動回路ＤＣの基本的な回路構成図を示す。これら画素駆動回路ＤＣは、例えば表示パネル１１０中に相互に直交するように配設された複数の走査ラインＳＬと複数のデータラインＤＬとの各交点近傍に設けられている。これら画素駆動回路ＤＣは、第１の薄膜トランジスタＴｒ１と、第２の薄膜トランジスタＴｒ２と、第３の薄膜トランジスタＴｒ３と、コンデンサＣｓとを備える。  
このうち第１の薄膜トランジスタＴｒ１は、ゲート端子を走査ラインＳＬに接続し、ソース端子を電源ラインＶＬに接続し、ドレイン端子を接点Ｎ１に接続している。第２の薄膜トランジスタＴｒ２は、ゲート端子を走査ラインＳＬに接続し、ソース端子をデータラインＤＬに接続し、ドレイン端子を接点Ｎ２に接続している。第３の薄膜トランジスタＴｒ３は、ゲート端子を接点Ｎ１に接続し、ソース端子を電源ラインＶＬに接続し、ドレイン端子を接点Ｎ２に接続している。又、コンデンサＣｓは、接点Ｎ１と接点Ｎ２との間に接続されている。なお、コンデンサＣｓは、薄膜トランジスタＴｒ３のゲート−ソース間に形成される寄生容量であってもよい。  
有機ＥＬ素子ＯＥＬは、アノード端子を接点Ｎ２に接続し、カソード端子を接地電位に接続している。
【００２５】
次に、画素駆動回路ＤＣによる有機ＥＬ素子ＯＥＬの発光駆動制御について図５に示す表示画素の動作タイミングを示すタイミングチャ−ト及び図６に示す表示画素の書込動作と発光動作及び非発光動作の動作状態を示す図を参照して説明する。  
有機ＥＬ素子ＯＥＬの発光駆動制御は、一走査期間Ｔｓｃを１サイクルとし、当該一走査期間Ｔｓｃ内に特定の走査ラインＳＬに接続された表示画素群を選択して表示データに対応する信号電流を書き込み、信号電圧として保持するとともに、有機ＥＬ素子ＯＥＬを非発光動作状態とする書込動作期間（又は、表示画素の選択期間）Ｔｗｒｔと、この書込動作期間Ｔｓｅに書き込み、保持された信号電圧に基づいて上記表示データに応じた駆動電流を有機ＥＬ素子ＯＥＬに供給して所定の輝度階調で発光動作させる発光動作期間Ｔｅｍと、書込動作期間Ｔｓｅに書き込まれた信号電圧が保持されているが、この信号電圧に基づく駆動電流を有機ＥＬ素子ＯＥＬに供給せず、有機ＥＬ素子ＯＥＬを非発光動作状態とする非発光動作期間Ｔｎｅｍと、を設定することにより実行される。ここで、一走査期間Ｔｓｃは、  
Ｔｓｃ＝Ｔｗｒｔ＋Ｔｎｅｍ＋Ｔｅｍ  
の関係を有する。又、各行ごとに設定される書込動作期間Ｔｗｒｔは、相互に時間的な重なりが生じないように設定される。
【００２６】
先ず、表示画素への書込（プログラミング）動作（書込動作期間Ｔｗｒｔ）について説明する。  
表示画素への書込動作（書込動作期間Ｔｗｒｔ）は、先ず、走査ドライバ１２０から特定の行（ｉ行目）の走査ラインＳＬに対してハイレベルの走査信号Ｖｓｅｌ（Ｖｓｌｈ）を印加して表示画素を選択状態とすると共に、電源ドライバ１４０から当該行（ｉ行目）の電源ラインＶＬに対してローレベルの電源電圧Ｖｓｃｌを印加する。又、このタイミングに同期してデータドライバ１３０により取り込まれた当該行（ｉ行目）の表示データに対応する負極性の階調電圧（Ｖｐｉｘ）が各データラインＤＬに供給される。  
これにより、第１の薄膜トランジスタＴｒ１と第２の薄膜トランジスタＴｒ２とがオン動作し、ローレベルの電源電圧Ｖｓｃｌが接点Ｎ１、すなわち第３の薄膜トランジスタＴｒ３のゲート端子及びコンデンサＣｓの一端に印加されると共に、データラインＤＬを介して負極性の階調電圧（Ｖｐｉｘ）が印加される。これにより、ローレベルの電源電圧Ｖｓｃｌよりも低電位の電圧レベルが接点Ｎ２に印加される。
【００２７】
このように接点Ｎ１と接点Ｎ２との間（薄膜トランジスタＴｒ３のゲート−ソース間）に電位差が生じると、第３の薄膜トランジスタＴｒ３がオン動作して、図６（ａ）に示すように電源ラインＶＬから第３の薄膜トランジスタＴｒ３、接点Ｎ２、薄膜トランジスタＴｒ２、データラインＤＬを通してデータドライバ１３０に階調電圧Ｖｐｉｘに対応した書込電流Ｉａが流下する。
【００２８】
このとき、コンデンサＣｓには、接点Ｎ１と接点Ｎ２との間（薄膜トランジスタのＴｒ３のゲート−ソース間）に生じた電位差に対応する電荷が蓄積され、電圧成分として保持される。又、電源ラインＶＬには、接地電位以下の電圧レベルを有する電源電圧Ｖｓｃｌが印加され、さらに書込電流Ｉａがデータライン方向に流下するように制御されているので、有機ＥＬ素子ＯＥＬのアノード端子（接点Ｎ２）に印加される電位は、カソード端子の電位（接地電位）よりも低くなる。  これにより、有機ＥＬ素子ＯＥＬに逆バイアス電圧が印加されるので、有機ＥＬ素子ＯＥＬには駆動電流が流れず、発光動作は行われない非発光動作状態となる。
【００２９】
次に、書込動作期間（選択期間）Ｔｗｒｔ終了後の有機ＥＬ素子ＯＥＬの発光動作（発光動作期間Ｔｅｍ）について説明する。  
この有機ＥＬ素子ＯＥＬの発光動作は、走査ドライバ１２０から特定の行（ｉ行目）の走査ラインＳＬに対してローレベルの走査信号Ｖｓｅｌ（Ｖｓｌｌ）が印加されて表示画素が非選択状態とされると共に、電源ドライバ１４０から当該行（ｉ行目）の電源ラインＶＬに対してハイレベルの電源電圧Ｖｓｃｈが印加される。又、このタイミングに同期してデータドライバ１３０による階調電圧の印加動作が停止される。  
これにより、第１の薄膜トランジスタＴｒ１と第２の薄膜トランジスタＴｒ２とがオフ動作し、接点Ｎ１に対する電源電圧Ｖｓｃの印加が遮断されると共に、接点Ｎ２へのデータドライバ１３０による階調電圧の印加動作に起因する電圧レベルの印加が遮断される。これにより、コンデンサＣｓは、上述した書込動作において蓄積された電荷を保持する。
【００３０】
このようにコンデンサＣｓが書込動作時の充電電圧を保持することにより接点Ｎ１と接点Ｎ２との間（薄膜トランジスタのＴｒ３のゲート−ソース間）の電位差が保持されるので、第３の薄膜トランジスタＴｒ３はオン状態を維持する。又、電源ラインＶＬには、接地電位よりも高い電圧レベルを有する電源電圧Ｖｓｃｈが印加されるので、有機ＥＬ素子ＯＥＬのアノード端子（接点Ｎ２）に印加される電位は、カソード端子の電位（接地電位）よりも高くなる。
【００３１】
従って、図６（ｂ）に示すように電源ラインＶＬから第３の薄膜トランジスタＴｒ３、接点Ｎ２を通して有機ＥＬ素子ＯＥＬに順バイアス方向に所定の駆動電流Ｉｂが流れ、有機ＥＬ素子ＯＥＬが発光する発光動作状態となる。ここで、コンデンサＣｓにより保持される電位差（充電電圧）は、第３の薄膜トランジスタＴｒ３において階調電圧Ｖｐｉｘに対応した書込電流Ｉａを流下させる場合の電位差に相当するので、有機ＥＬ素子ＯＥＬに流下する駆動電流Ｉｂは、上記書込電流Ｉａと同等の電流値を有することになる。  
これにより、書込期間Ｔｗｒｔ後の発光動作期間Ｔｅｍにおいては、書込期間Ｔｗｒｔに書き込まれた表示データ（階調電流）に対応する電圧成分に基づいて第３の薄膜トランジスタＴｒ３を通して駆動電流が継続的に供給される。これにより、有機ＥＬ素子ＯＥＬは、表示データに対応する輝度階調で発光する発光動作を継続する。
【００３２】
次いで、書込動作期間（選択期間）Ｔｗｒｔ終了後の有機ＥＬ素子ＯＥＬの非発光動作（非発光動作期間Ｔｎｅｍ）について説明する。  
この有機ＥＬ素子ＯＥＬの非発光動作は、図６（ｃ）に示すように、走査ドライバ１２０から特定の行（ｉ行目）の走査ラインＳＬに対してローレベルの走査信号Ｖｓｅｌ（Ｖｓｌｌ）が印加されて表示画素が非選択状態とされると共に、電源ドライバ１４０から当該行（ｉ行目）の電源ラインＶＬに対してローレベルの電源電圧Ｖｓｃｌが印加される。又、このときデータドライバ１３０による階調電圧の印加動作は停止される。
【００３３】
これにより、上記発光動作時と同様に、コンデンサＣｓは書込動作において蓄積された電荷を保持するが、このとき、電源ラインＶＬにローレベルの電源電圧Ｖｓｃｌが印加されているため、有機ＥＬ素子ＯＥＬのアノード端子（接点Ｎ２）に印加される電位は、カソード端子の電位（接地電位）よりも低くなることにより、有機ＥＬ素子ＯＥＬに逆バイアス電圧が印加されて、有機ＥＬ素子ＯＥＬには駆動電流は流れない。これにより有機ＥＬ素子ＯＥＬは発光動作せず。非発光動作状態となる。
【００３４】
そして、上述した一連の動作を、図５に示すように表示パネル１１０を構成する全ての行の表示画素群について順次繰り返し実行することにより、表示パネル１１０における１画面分の表示データが書き込まれて所定の輝度階調で発光し、所望の画像情報が表示されるとともに、上記の発光動作状態及び非発光動作状態とされる行数を適宜制御することで、表示パネル１１０の表示輝度を制御する。
【００３５】
このために、本実施形態における電源ドライバ１４０は、表示パネル１１０中の複数の有機ＥＬ素子ＯＥＬの各アノード電位（接点Ｎ２）を制御し、複数の有機ＥＬ素子ＯＥＬのうちの上記図６（ａ）に示す書込動作を行ういずれか１行の電源ラインＶＬにローレベルの電源電圧Ｖｓｃｌを印加するとともに、他の上記図６（ｃ）に示す非発光動作状態とする行の電源ラインＶＬにもローレベルの電源電圧Ｖｓｃｌを印加して非発光動作状態とし、これら以外の行の電源ラインＶＬにハイレベルの電源電圧Ｖｓｃｈを印加して発光動作状態とする。そして、書込動作を行う行及び非発光動作状態とする行を時間経過と共に順次移動させるとともに、非発光動作状態とする行と発光動作状態とする行の比率を適宜変更制御することで、表示パネル１１０の表示輝度を制御する。
【００３６】
次に、本実施形態の表示パネル駆動装置１００における駆動制御動作の具体的な構成について説明する。  
先ず、図７に示すように、表示パネル１１０上を例えば８つの表示領域Ｈ１〜Ｈ８に区分する。ここで、８つの表示領域Ｈ１〜Ｈ８は、それぞれ表示パネル１１０中の１つの行又は複数の行を有する。そして、電源ドライバ１４０は、区分された８つの表示領域Ｈ１〜Ｈ８の各々を非発光動作状態又は発光動作状態に設定する。このために、電源ドライバ１４０はＨ１〜Ｈ８の各表示領域に対応する電源ラインＶＬにローレベルの電源電圧Ｖｓｃｌ又はハイレベルの電源電圧Ｖｓｃｈを共通に印加する。
【００３７】
図８は、本実施形態における、表示パネル１１０上を例えば８つの表示領域Ｈ１〜Ｈ８に区分したときの、電源ドライバ１４０と表示パネル１１０複数の電源ラインＶＬとの接続構成の一例を示す。図９は、図８の構成に対応した電源ドライバ１４０の概略構成図の一例を示す。なお、図８、図９においては便宜上、走査ドライバ１２０を省略している。図８に示すように、電源ドライバは表示領域の数に応じた数（８本）の出力を有し、各出力は表示パネル１１０各表示領域Ｈ１〜Ｈ８の電源ラインに共通に接続されている。そして、電源ドライバ１４０は、表示領域の数に応じた段数（８段）のシフトレジスタ１４１と複数のバッファ１４２−１〜１４２−８とから成る。この電源ドライバ１４０は、システムコントローラ１５０から供給される電源制御信号（アノード制御データＡＳＤ、電源クロック信号ＶＣＬＫ等）に基づいてシフトレジスタ１４１により表示パネル１１０の上方から下方に順次シフトしながら生成されたシフト出力を複数のバッファ１４２−１〜１４２−８バッファを介して所定の電圧レベルを有する電源電圧Ｖｓｃを各電源ラインＶＬに印加する。
【００３８】
ここで、アノード制御データＡＳＤは、例えばシリアルの８ビットデータから成り、各ビットがバッファ１４２−１〜１４２−８の出力に対応する。アノード制御データＡＳＤが「１」であれば、電源ドライバ１４０のバッファから電源ラインＶＬに出力される電源電圧Ｖｓｃはハイレベルの電源電圧Ｖｓｃｈとなり、当該電源ラインＶＬに接続された各画素駆動回路ＤＣによって各有機ＥＬ素子ＯＥＬが図６（ｂ）に示すように発光動作状態になる。一方、アノード制御データＡＳＤが「０」であれば、電源ドライバ１４０のバッファから電源ラインＶＬに出力される電源電圧Ｖｓｃはローレベルの電源電圧Ｖｓｃｌとなり、当該走査ラインＳＬに接続された各画素駆動回路ＤＣによって各有機ＥＬ素子ＯＥＬが図６（ａ）に示すように書込動作（非発光動作状態）又は図６（ｃ）に示す非発光動作状態になる。
【００３９】
従って、電源ドライバ１４０は、アノード制御データＡＳＤが例えば「０００００００１」であると、表示パネル１１０を、該表示パネル１１０の８表示領域中の７表示領域の有機ＥＬ素子ＯＥＬを非発光動作状態とし、１表示領域の有機ＥＬ素子ＯＥＬのみを発光動作状態とする１／８デューティで発光制御し、又「０１１１１１１１」であると、表示パネル１１０の８表示領域中の１表示領域（第１の表示領域）のみの有機ＥＬ素子ＯＥＬを非発光動作状態とし、７表示領域（第２の表示領域）の有機ＥＬ素子ＯＥＬを発光動作状態とする７／８デューティで発光制御することができる。しかるに、システムコントローラ１５０は、アノード制御データＡＳＤの各ビット値を制御し、当該アノード制御データＡＳＤを「０１１１１１１１」「００１１１１１１」「０００１１１１１」…「０００００００１」のいずれかに設定することにより、７／８デューティから１／８デューティの範囲で表示パネル１１０の発光輝度を制御することが可能になる。
【００４０】
次に、本実施形態における駆動制御動作について説明する。  
図１０は、本実施形態において、表示パネル１１０を７／８デューティで発光制御するときの表示状態の推移を示す。  先ず、時刻ｔ１において、アノード制御データＡＳＤが「０１１１１１１１」に設定されて、８つの表示領域Ｈ１〜Ｈ８のうち１つの表示領域（第１の表示領域）Ｈ１の各有機ＥＬ素子ＯＥＬが図６（ｃ）に示す非発光動作状態になると共に、表示領域Ｈ１内の第１行目の各有機ＥＬ素子ＯＥＬが図６（ａ）に示す書込動作状態となり、他の７つの表示領域（第２の表示領域）Ｈ２〜Ｈ８の各有機ＥＬ素子ＯＥＬが同図（ｂ）に示す発光動作状態になる。  
続く時刻ｔ２〜ｔ４において、１つの表示領域Ｈ１内の各行の各有機ＥＬ素子ＯＥＬが順次書込動作状態となり、他の７つの表示領域Ｈ２〜Ｈ８の各有機ＥＬ素子ＯＥＬが発光動作状態になる。
【００４１】
次いで、１つの表示領域Ｈ１内の全ての行の各有機ＥＬ素子ＯＥＬへの書込動作が終了した後の時刻ｔ５において、アノード制御データＡＳＤが「１０１１１１１１」に設定されて、１つの表示領域Ｈ２の各有機ＥＬ素子ＯＥＬが非発光動作状態になると共に、表示領域Ｈ２内の第１行目の各有機ＥＬ素子ＯＥＬが書込動作状態となり、他の７つの表示領域Ｈ１、Ｈ３〜Ｈ８の各有機ＥＬ素子ＯＥＬが発光動作状態になる。  
続く時刻ｔ６〜ｔ８において、１つの表示領域Ｈ２内の各行の各有機ＥＬ素子ＯＥＬが順次書込動作状態となり、他の７つの表示領域Ｈ１、Ｈ２〜Ｈ８の各有機ＥＬ素子ＯＥＬが発光動作状態になる。
【００４２】
次いで、表示領域Ｈ２内の全ての行の各有機ＥＬ素子ＯＥＬへの書込動作が終了した後の時刻ｔ８において、アノード制御データＡＳＤが「１１０１１１１１」に設定されて、１つの表示領域Ｈ３の各有機ＥＬ素子ＯＥＬが非発光動作状態になると共に、表示領域Ｈ３内の第１行目の各有機ＥＬ素子ＯＥＬが書込動作状態となり、他の７つの表示領域Ｈ１、Ｈ２、Ｈ４〜Ｈ８の各有機ＥＬ素子ＯＥＬが発光動作状態になり、続く時刻ｔ１０〜ｔ１２において、１つの表示領域Ｈ３内の各行の各有機ＥＬ素子ＯＥＬが順次書込動作状態となり、他の７つの表示領域Ｈ１、Ｈ２、Ｈ４〜Ｈ８の各有機ＥＬ素子ＯＥＬが発光動作状態になる。
【００４３】
以下同様に、アノード制御データＡＳＤを適宜設定して表示領域Ｈ４〜Ｈ８の各有機ＥＬ素子ＯＥＬが順次非発光動作状態になると共に、他の７つの表示領域の各有機ＥＬ素子ＯＥＬが発光動作状態になり、非発光動作状態になった表示領域内の各行の各有機ＥＬ素子ＯＥＬが書込動作となる動作が繰り返される。
【００４４】
次に、図１１は、本実施形態において、表示パネル１１０を１／８デューティで発光制御するときの表示状態の推移を示す。  
この場合には、先ず、時刻ｔ１において、アノード制御データＡＳＤが「０００００００１」に設定されて、８つの表示領域Ｈ１〜Ｈ８のうちの１つの表示領域（第１の表示領域）Ｈ１の各有機ＥＬ素子ＯＥＬが非発光動作状態になると共に、表示領域Ｈ１内の第１行目の各有機ＥＬ素子ＯＥＬが書込動作状態となり、他の７つの表示領域（第２の表示領域）Ｈ２〜Ｈ８における６つの表示領域Ｈ２〜Ｈ７の各有機ＥＬ素子ＯＥＬが非発光動作状態になると共に、１つの表示領域Ｈ８の各有機ＥＬ素子ＯＥＬが発光動作状態になる。  
続く時刻ｔ２〜ｔ４において、１つの表示領域Ｈ１内の各行の各有機ＥＬ素子ＯＥＬが順次書込動作状態となり、１つの表示領域Ｈ８の各有機ＥＬ素子ＯＥＬが発光動作状態になる。
【００４５】
次いで、１つの表示領域Ｈ１内の全ての行の各有機ＥＬ素子ＯＥＬへの書込動作が終了した後の時刻ｔ５において、アノード制御データＡＳＤが「１０００００００」に設定されて、表示領域Ｈ２〜Ｈ８の各有機ＥＬ素子ＯＥＬが非発光動作状態になると共に、表示領域Ｈ２内の第１行目の各有機ＥＬ素子ＯＥＬが書込動作状態となり、１つの表示領域Ｈ１の各有機ＥＬ素子ＯＥＬが発光動作状態になる。  
続く時刻ｔ６〜ｔ８において、１つの表示領域Ｈ２内の各行の各有機ＥＬ素子ＯＥＬが順次書込動作状態となり、１つの表示領域Ｈ１の各有機ＥＬ素子ＯＥＬが発光動作状態になる。
【００４６】
次いで、表示領域Ｈ２内の全ての行の各有機ＥＬ素子ＯＥＬへの書込動作が終了した後の時刻ｔ８において、アノード制御データＡＳＤが「０１００００００」に設定されて、表示領域Ｈ１、Ｈ３〜Ｈ８の各有機ＥＬ素子ＯＥＬが非発光動作状態になると共に、表示領域Ｈ３内の第１行目の各有機ＥＬ素子ＯＥＬが書込動作状態となり、１つの表示領域Ｈ２の各有機ＥＬ素子ＯＥＬが発光動作状態になり、続く時刻ｔ１０〜ｔ１２において、表示領域Ｈ３内の各行の各有機ＥＬ素子ＯＥＬが順次書込動作状態となり、１つの表示領域Ｈ２の各有機ＥＬ素子ＯＥＬが発光動作状態になる。
【００４７】
以下同様に、アノード制御データＡＳＤを適宜設定して表示領域Ｈ３〜Ｈ７の各有機ＥＬ素子ＯＥＬが順次非発光動作状態になると共に、他の７つの表示領域の各有機ＥＬ素子ＯＥＬが非発光動作状態になり、非発光動作状態になった表示領域内の各行の各有機ＥＬ素子ＯＥＬが書込動作となる動作が繰り返される。
【００４８】
このように上記第１の実施の形態によれば、表示パネル１１０中の複数の有機ＥＬ素子ＯＥＬを複数の領域Ｈ１〜Ｈ８別に分け、これら領域Ｈ１〜Ｈ８毎に、発光動作状態とする各有機ＥＬ素子と、非発光動作状態とする各有機ＥＬ素子と、の面積比率を制御する、具体的には、例えば、表示パネル１１０上を８つの表示領域Ｈ１〜Ｈ８に区分し、表示領域の総数に対する発光動作状態とする表示領域の数の比率を例えば７／８デューティから１／８デューティの範囲で可変制御する。
【００４９】
これにより、表示データを変えることなく、表示パネル１１０の発光輝度を、例えば７／８デューティから１／８デューティの範囲で可変制御できる。一般的に、表示パネル１１０の表示輝度の適正値は、周辺環境の明るさによって変化する。例えば、周囲環境が明るいところでは、人間の視覚（眼）が明るい環境でなれるので、表示パネル１１０の適正の輝度を明るくすべきである。一方、周囲環境が暗いところでは、人間の視覚（眼）が暗い環境で慣れてしまうので、表示パネル１１０の輝度の適正値を低くする。つまり、人間の視覚（眼）に見やすい表示パネル１１０とは、周囲環境の明るさに応じて表示の輝度を制御する必要がある。  
本装置では、例えば周辺環境の明るさを検出する光りセンサ（図示を省略）を備えて、周辺環境の明るさに応じて表示パネル１１０の発光輝度を例えば７／８デューティから１／８デューティの範囲で可変制御することにより、周辺環境の明るさに応じて表示パネル１１０を適正な輝度に調整できる。また、このデューティの値を自動的に調整するのではなく、使用者が適宜設定を切り替える構成を備えるものであってもよい。
【００５０】
表示パネル１１０の発光輝度はデューティの値に比例し、図１０に示すように有機ＥＬ素子ＯＥＬを発光動作させる領域の比率を８分の７（７／８デューティ）に制御する場合、有機ＥＬ素子ＯＥＬを発光動作時に画素に流れる電流をI、画素の効率をα（cd/A）とし、画素の面積をＳ（m2）とすると、発光している瞬間の輝度は、Ｉ×α×Ｓ）になり、有機ＥＬ素子ＯＥＬを発光動作させる領域の比率が７／８（７／８デューティ）に制御されるため、平均輝度は、Ｉ×α×Ｓ）×（７／８）になる。  
また、図１１に示すように有機ＥＬ素子ＯＥＬを発光動作させる領域の比率を８分の１（１／８デューティ）に制御する場合、平均輝度は、Ｉ×α×Ｓ）×（１／８）になる。
【００５１】
このように複数の有機ＥＬ素子ＯＥＬに対する発光動作させる各有機ＥＬ素子ＯＥＬの比率を例えば７／８デューティから１／８デューティの範囲で可変制御するので、表示パネル１１０全体の輝度を７倍の範囲で変化させることができる。
【００５２】
このとき、画素に対して供給する表示データ（階調電圧Ｖｐｉｘ）及びる書込動作は、従来と全く同一であるので、表示パネル１１０上で表現できる階調数は、有機ＥＬ素子ＯＥＬのアノードのデューティに依存しない。これにより、階調表現力を維持したまま環境に合わせて輝度を設定できる。  
かかる実施の形態では、明るい部屋において例えば輝度３５０nitに設定し、真っ暗な部屋において輝度５０nitに設定するというようなことが実現できる。  
＜第２に実施形態＞
次に、本発明の第２の実施の形態について説明する。なお、表示パネル駆動装置の構成は、上記図１乃至図４と同等であるので、その説明は省略する。  
上記第１の実施形態においては、例えば、非発光動作状態とする表示領域の１つの表示領域中の各行の有機ＥＬ素子ＯＥＬへの書込動作を行っている期間中に発光動作状態とされる表示領域を、この１つの表示領域中の全ての行の有機ＥＬ素子ＯＥＬへの書込動作を行う期間全体に亘って発光動作状態としたが、第２実施形態は、第１の実施形態における構成に加えて、１つの表示領域中の各行の有機ＥＬ素子ＯＥＬへの書込動作を行う期間中において、特定の表示領域を発光動作状態とする期間と非発光動作状態とする期間とを設けて、１つの表示領域の各行の書込動作を行う期間における、発光動作状態とする時間と非発光動作状態とする時間との比率（時間比率）を可変制御する構成を備えるものである。
【００５３】
図１２は、本実施形態において、上記図１１の表示パネル１１０を１／８デューティで発光制御する構成に加えて、発光駆動状態とする表示領域を発光駆動状態とする時間比率を１／２としたきの表示状態の推移の一例を示す。  
図１２に示すように、例えば、表示領域Ｈ１内の第１行目の各有機ＥＬ素子ＯＥＬが書込動作状態となる時刻から表示領域Ｈ１内の最終行の有機ＥＬ素子ＯＥＬに書込動作が行われる時刻までの書込時間の１／４の時間が経過するまでの期間（ｔ１）及び書込時間の１／２から３／４までの期間（ｔ３）において、アノード制御データＡＳＤが「００００００００」に設定されて、８つの表示領域Ｈ１〜Ｈ８の全てが非発光動作状態になり、書込時間の１／４から１／２までの期間（ｔ２）及び書込時間の３／４から書込時間の終了までの期間（ｔ４）において、アノード制御データＡＳＤが「０００００００１」に設定されて、表示領域Ｈ８が発光動作状態になり、これにより、表示領域Ｈ８は、書込時間の半分の時間だけ発光動作状態となり、残りの半分の時間は非発光動作状態となる。
【００５４】
次いで、表示領域Ｈ２内の第１行目の各有機ＥＬ素子ＯＥＬが書込動作状態となる時刻ｔ５と、表示領域Ｈ２内の全ての行の有機ＥＬ素子ＯＥＬに書込動作が行われる書込時間の１／４の時間が経過するまでの期間（ｔ５）及び書込時間の１／２から３／４までの期間（ｔ７）において、アノード制御データＡＳＤが「００００００００」に設定されて、８つの表示領域Ｈ１〜Ｈ８の全てが非発光動作状態になり、書込時間の１／４から１／２までの期間（ｔ６）及び書込時間の３／４から書込時間の終了までの期間（ｔ８）において、アノード制御データＡＳＤが「１０００００００」に設定されて、表示領域Ｈ１が発光動作状態になり、これにより、表示領域Ｈ１は、書込時間の半分の時間だけ発光動作状態となり、残りの半分の時間は非発光動作状態となる。
【００５５】
以下同様に、表示領域Ｈ２は、表示領域Ｈ３内の全ての行の有機ＥＬ素子ＯＥＬに書込動作が行われる書込時間の半分の時間だけ発光動作状態となり、残りの半分の時間は非発光動作状態となり、表示領域Ｈ３は、表示領域Ｈ４内の全ての行の有機ＥＬ素子ＯＥＬに書込動作が行われる書込時間の半分の時間だけ発光動作状態となり、残りの半分の期間は非発光動作状態となる。  
以下同様に、アノード制御データＡＳＤを適宜設定して、各表示領域Ｈを発光動作状態と非発光動作状態とするタイミングを制御する動作を繰り返す。
【００５６】
このように上記第２の実施の形態は、上記第１の実施の形態に加えて、発光動作状態とする各有機ＥＬ素子が発光動作状態となる時間の、１つの表示領域の各行の書込動作を行う書込時間に対する比率を制御する構成を備えるものである。これにより、上記第１の実施の形態と同様の効果を奏することができるのは言うまでもなく、さらに面積比率が上記図１１と同様に１／８デューティに設定されていても、更に時間デューティが例えば２分の１倍に制御されるので、上記図１１に示す発光動作時の輝度と比較して表示パネル１１０の発光輝度を更に半分に低下させることが可能である。
【００５７】
なお、上記においては、１つの表示領域に対する書込動作を行う書込時間の１／４の時間毎に所定の表示領域を発光動作状態と非発光動作状態とに切り替える構成としたが、本発明はこれに限るものではなく、他のタイミングで発光動作状態と非発光動作状態とに切り替えるものであってもよい。更に、時間デューティは、２分の１倍に限ることなく、例えば３分の１倍、４分の１倍等に可変制御することが可能である。これにより、表示パネル１１０の発光輝度は、上記図１１に示す発光動作時の輝度と比較して例えば３分の１倍、４分の１倍等に調整できる。
【００５８】
＜第３に実施形態＞
次に、本発明の第３の実施の形態について説明する。なお、表示パネル駆動装置の構成は、上記図１乃至図４と同一であるので、その説明は省略する。  
図１３は、本実施形態において、表示パネル１１０の複数の電源ラインＶＬと電源ドライバ１４０との接続構成を示す。図１３（ａ）は表示パネル１１０と電源ドライバ１４０との接続構成の全体を示すものであり、図１３（ｂ）は、本実施形態における表示領域Ｈ１〜Ｈ８の構成を説明するために、表示パネル１１０と電源ドライバ１４０との接続構成の一部を拡大して示すものである。表示パネル１１０は、上記各実施形態と同様に、８つの表示領域Ｈ１〜Ｈ８に区分され、これら領域Ｈ１〜Ｈ８毎にそれぞれ同じ数の複数の電源ラインＶＬ、例えば８本の電源ラインＳＬが配列されている。しかしながら、上記第１及び第２の実施形態における表示領域Ｈ１〜Ｈ８は隣接して配列された所定の数の電源ラインＶＬからなるものであったが、本実施形態における表示領域Ｈ１〜Ｈ８は、図１３（ｂ）に示すように、離間して配列された所定の数の電源ラインからなるものである点が相違している。
【００５９】
図１３に示すように、電源ドライバ１４０は、表示領域の数に応じた数（８本）の出力を有し、各出力は、各表示領域Ｈ１〜Ｈ８をなす各電源ラインＶＬに共通に接続されている。すなわち、電源ドライバ１４０の１番目の出力は、表示領域Ｈ１をなす１行目、９行目、…の電源ラインＶＬに共通に接続され、電源ドライバ１４０の２番目の出力は、表示領域Ｈ２をなす２行目、１０行目、…の電源ラインＶＬに共通に接続され、以下同様に接続される。
【００６０】
次に、本実施形態における駆動制御動作について説明する。  
図１４は、本実施形態において、表示パネル１１０を７／８デューティで発光制御するときの表示状態の推移を示す。  
先ず、時刻ｔ１において、アノード制御データＡＳＤが「０１１１１１１１」に設定されて、１つの表示領域（第１の表示領域）Ｈ１の第１行目の各有機ＥＬ素子ＯＥＬが書込動作状態となり、第２行目〜第８行目の各有機ＥＬ素子ＯＥＬが非発光動作状態になるとともに、他の７つの表示領域（第２の表示領域）Ｈ２〜Ｈ８の各行の各有機ＥＬ素子ＯＥＬが発光動作状態になる。  
続く時刻ｔ２において、アノード制御データＡＳＤが「１０１１１１１１」に設定されて、１つの表示領域Ｈ２の第１行目の各有機ＥＬ素子ＯＥＬが書込動作状態となり、第２行目〜第８行目の各有機ＥＬ素子ＯＥＬが非発光動作状態になるとともに、７つの表示領域Ｈ１、Ｈ３〜Ｈ８の各行の各有機ＥＬ素子ＯＥＬが発光動作状態になる。
【００６１】
続く時刻ｔ３において、アノード制御データＡＳＤが「１１０１１１１１」に設定されて、１つの表示領域Ｈ３の第１行目の各有機ＥＬ素子ＯＥＬが書込動作状態となり、第２行目〜第８行目の各有機ＥＬ素子ＯＥＬが非発光動作状態になるとともに、７つの表示領域Ｈ１、Ｈ２、Ｈ４〜Ｈ８の各行の各有機ＥＬ素子ＯＥＬが発光動作状態になる。
【００６２】
以後、同様の動作が繰り返されて、時刻ｔ４において、アノード制御データＡＳＤが「１１１１１１１０」に設定されて、表示領域Ｈ８の第１行目の各有機ＥＬ素子ＯＥＬが書込動作状態となり、第２行目〜第８行目の各有機ＥＬ素子ＯＥＬが非発光動作状態になるとともに、表示領域Ｈ１〜Ｈ７の各行の各有機ＥＬ素子ＯＥＬが発光動作状態になる。
【００６３】
次いで、表示領域Ｈ１〜Ｈ８の第１行目の各有機ＥＬ素子ＯＥＬへの書込動作が終了した後の時刻ｔ５〜ｔ８において、アノード制御データＡＳＤが「０１１１１１１１」〜「１１１１１１１０」に順次設定されて、表示領域Ｈ１〜Ｈ８の第２行目の各有機ＥＬ素子ＯＥＬが順次書込動作状態になるとともに、表示領域Ｈ１〜Ｈ８の第１行目、第３行目〜第８行目の各有機ＥＬ素子ＯＥＬが順次非発光動作状態となり、他の行の各有機ＥＬ素子ＯＥＬが発光動作状態になる。
【００６４】
続く時刻ｔ９〜ｔ１２において、アノード制御データＡＳＤが「０１１１１１１１」〜「１１１１１１１０」に順次設定されて、表示領域Ｈ１〜Ｈ８の３行目の各有機ＥＬ素子ＯＥＬが順次書込動作状態になるとともに、表示領域Ｈ１〜Ｈ８の第１行目１行目、第２行目、第４行目〜第８行目の各有機ＥＬ素子ＯＥＬが順次非発光動作状態となり、他の行の各有機ＥＬ素子ＯＥＬが発光動作状態になる。  
以下同様に、アノード制御データＡＳＤを順次設定して表示領域Ｈ１〜Ｈ８の各行の各有機ＥＬ素子ＯＥＬが順次書込動作状態及び非発光動作状態になるとともに、他の行の各有機ＥＬ素子ＯＥＬが発光動作状態になる動作が繰り返される。
【００６５】
次に、図１５は、本実施形態において、表示パネル１１０を１／８デューティで発光制御するときの表示状態の推移を示す．この場合には、先ず、時刻ｔ１において、アノード制御データＡＳＤが「０００００００１」に設定されて、１つの表示領域（第１の表示領域）Ｈ１の第１行目の各有機ＥＬ素子ＯＥＬが書込動作状態となり、第２行目〜第８行目の各有機ＥＬ素子ＯＥＬが非発光動作状態になり、他の７つの表示領域（Ｈ２〜Ｈ８）における６つの表示領域Ｈ２〜Ｈ７の各行の各有機ＥＬ素子ＯＥＬが非発光動作状態になるとともに、１つの表示領域Ｈ８の各行の各有機ＥＬ素子ＯＥＬが発光動作状態になる。  
続く時刻ｔ２において、アノード制御データＡＳＤが「１０００００００」に設定されて、１つの表示領域Ｈ２の第１行目の各有機ＥＬ素子ＯＥＬが書込動作状態となり、第２行目〜第８行目の各有機ＥＬ素子ＯＥＬが非発光動作状態になり、６つの表示領域Ｈ３〜Ｈ８の各行の各有機ＥＬ素子ＯＥＬが非発光動作状態になるとともに、１つの表示領域Ｈ１の各行の各有機ＥＬ素子ＯＥＬが発光動作状態になる。
【００６６】
続く時刻ｔ３において、アノード制御データＡＳＤが「０１００００００」に設定されて、１つの表示領域Ｈ３の第１行目の各有機ＥＬ素子ＯＥＬが書込動作状態となり、第２行目〜第８行目の各有機ＥＬ素子ＯＥＬが非発光動作状態になり、６つの表示領域Ｈ１、Ｈ４〜Ｈ８の各行の各有機ＥＬ素子ＯＥＬが非発光動作状態になるとともに、１つの表示領域Ｈ２の各行の各有機ＥＬ素子ＯＥＬが発光動作状態になる。
【００６７】
以後、同様の動作が繰り返されて、時刻ｔ４において、アノード制御データＡＳＤが「１１１１１１１０」に設定されて、１つの表示領域Ｈ８の第１行目の各有機ＥＬ素子ＯＥＬが書込動作状態となり、第２行目〜第８行目の各有機ＥＬ素子ＯＥＬが非発光動作状態になり、６つの表示領域Ｈ１〜Ｈ６の各行の各有機ＥＬ素子ＯＥＬが非発光動作状態になるとともに、１つの表示領域Ｈ７の各行の各有機ＥＬ素子ＯＥＬが発光動作状態になる。
【００６８】
次いで、表示領域Ｈ１〜Ｈ８の第１行目の各有機ＥＬ素子ＯＥＬへの書込動作が終了した後の時刻ｔ５〜ｔ８において、アノード制御データＡＳＤが「０１１１１１１１」〜「１１１１１１１０」に順次設定されて、表示領域Ｈ１〜Ｈ８の第２行目の各有機ＥＬ素子ＯＥＬが順次書込動作状態になるとともに、表示領域Ｈ１〜Ｈ８の第１行目、第３行目〜第８行目の各有機ＥＬ素子ＯＥＬが順次非発光動作状態となり、他の行の各有機ＥＬ素子ＯＥＬが発光動作状態になる。
【００６９】
続く時刻ｔ９〜ｔ１２において、アノード制御データＡＳＤが「０１１１１１１１」〜「１１１１１１１０」に順次設定されて、表示領域Ｈ１〜Ｈ８の３行目の各有機ＥＬ素子ＯＥＬが順次書込動作状態になるとともに、表示領域Ｈ１〜Ｈ８の第１行目１行目、第２行目、第４行目〜第８行目の各有機ＥＬ素子ＯＥＬが順次非発光動作状態となり、他の行の各有機ＥＬ素子ＯＥＬが発光動作状態になる。  
以下同様に、アノード制御データＡＳＤを順次設定して表示領域Ｈ１〜Ｈ８の各行の各有機ＥＬ素子ＯＥＬが順次書込動作状態及び非発光動作状態になるとともに、他の行の各有機ＥＬ素子ＯＥＬが発光動作状態になる動作が繰り返される。
【００７０】
このように上記第３の実施の形態は、上記第１の実施の形態に加えて、非発光動作状態とする行と発光動作状態とする行を各表示領域に分散する構成を備えるものである。
【００７１】
これにより、上記第１の実施の形態の場合と同様に、表示データを変えることなく、表示パネル１１０の発光輝度を、例えば７／８デューティから１／８デューティの範囲で可変制御できるとともに、非発光動作状態となる行と発光動作状態となる行を表示パネル内に均等に分散させることにより、発光領域と非発光領域の境界が視認され難くなり、表示品位を向上させることができる。
【００７２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７３】
【図１】本発明に係る表示パネル駆動装置の第１の実施の形態における全体構成図。
【図２】同装置における表示パネルの構成図。
【図３】同装置における各ドライバの変形例を示す構成図。
【図４】同装置における画素駆動回路の基本的な回路構成図。
【図５】同装置における画像情報の表示タイミングを示すタイミングチャ−ト。
【図６】同装置における表示画素への書込動作と発光動作とデータ保存動作とを示す図。
【図７】同装置における表示パネルを８つの表示領域に区分した状態を示す図。
【図８】同装置における表示パネルの８つの表示領域の電源ドライバと電源ドライバとの接続構成の一例を示す図。
【図９】同電源ドライバの概略構成図の一例を示す図。
【図１０】同装置における表示パネルを７／８デューティで発光制御するときの表示状態の推移の一例を示す図。
【図１１】同装置における表示パネルを１／８デューティで発光制御するときの表示状態の推移を示す図。
【図１２】本発明に係る表示パネル駆動装置の第２の実施の形態における表示パネルを１／８デューティで発光制御する構成に加えて発光駆動状態とする表示領域を発光駆動状態とする時間比率を１／２としたきの表示状態の推移を示す図。
【図１３】本発明に係る表示パネル駆動装置の第３の実施形態における表示パネルの複数の電源ラインと電源ドライバとの接続構成を示す図。
【図１４】同装置における表示パネルを７／８デューティで発光制御するときの表示状態の推移を示す図。
【図１５】同装置における表示パネルを１／８デューティで発光制御するときの表示状態の推移を示す図。
【符号の説明】
【００７４】
１００：表示パネル駆動装置、１１０：表示パネル、ＳＬ：走査ライン、ＶＬ：電源ライン、ＤＬ：データライン、ＤＣ：画素駆動回路、ＯＥＬ：有機ＥＬ素子（発光素子）、１２０：走査ドライバ、１３０：データドライバ、１４０：電源ドライバ、１５０：システムコントローラ、１６０：表示信号生成回路、Ｔｒ１：第１の薄膜トランジスタ、Ｔｒ２：第２の薄膜トランジスタ、Ｔｒ３：第３の薄膜トランジスタ、Ｃｓ：コンデンサ、Ｎ１，Ｎ２：接点、１２１：シフトレジスタ、１２２−１〜１２２−８：バッファ、Ｈ１〜Ｈ８：領域。
【図１】
2010072112.tif 000003
【図２】
2010072112.tif 000004
【図３】
2010072112.tif 000005
【図４】
2010072112.tif 000006
【図５】
2010072112.tif 000007
【図６】
2010072112.tif 000008
【図７】
2010072112.tif 000009
【図８】
2010072112.tif 000010
【図９】
2010072112.tif 000011
【図１０】
2010072112.tif 000012
【図１１】
2010072112.tif 000013
【図１２】
2010072112.tif 000014
【図１３】
2010072112.tif 000015
【図１４】
2010072112.tif 000016
【図１５】
2010072112.tif 000017
【手続補正書】
【提出日】平成21年10月6日(2009.10.6)
【手続補正１】
【補正対象書類名】明細書
【補正対象項目名】００４７
【補正方法】変更
【補正の内容】
【００４７】
以下同様に、アノード制御データＡＳＤを適宜設定して表示領域Ｈ３〜Ｈ７の各有機ＥＬ素子ＯＥＬが順次発光動作状態になると共に、他の７つの表示領域の各有機ＥＬ素子ＯＥＬが非発光動作状態になり、非発光動作状態になった表示領域内の各行の各有機ＥＬ素子ＯＥＬが書込動作となる動作が繰り返される。
【手続補正２】
【補正対象書類名】明細書
【補正対象項目名】００５０
【補正方法】変更
【補正の内容】
【００５０】
表示パネル１１０の発光輝度はデューティの値に比例し、図１０に示すように有機ＥＬ素子ＯＥＬを発光動作させる領域の比率を８分の７（７／８デューティ）に制御する場合、有機ＥＬ素子ＯＥＬを発光動作時に画素に流れる電流をI、画素の効率をα（cd/A）とし、画素の面積をＳ（ｍ２）とすると、発光している瞬間の輝度は、Ｉ×α×Ｓになり、有機ＥＬ素子ＯＥＬを発光動作させる領域の比率が７／８（７／８デューティ）に制御されるため、平均輝度は、Ｉ×α×Ｓ×（７／８）になる。  
また、図１１に示すように有機ＥＬ素子ＯＥＬを発光動作させる領域の比率を８分の１（１／８デューティ）に制御する場合、平均輝度は、Ｉ×α×Ｓ×（１／８）になる。
【手続補正３】
【補正対象書類名】明細書
【補正対象項目名】００５２
【補正方法】変更
【補正の内容】
【００５２】
このとき、画素に対して供給する表示データ（階調電圧Ｖｐｉｘ）及び書込動作は、従来と全く同一であるので、表示パネル１１０上で表現できる階調数は、有機ＥＬ素子ＯＥＬのアノードのデューティに依存しない。これにより、階調表現力を維持したまま環境に合わせて輝度を設定できる。  
かかる実施の形態では、明るい部屋において例えば輝度３５０nitに設定し、真っ暗な部屋において輝度５０nitに設定するというようなことが実現できる。
【手続補正４】
【補正対象書類名】明細書
【補正対象項目名】００５８
【補正方法】変更
【補正の内容】
【００５８】
次に、本発明の第３の実施の形態について説明する。なお、表示パネル駆動装置の構成は、上記図１乃至図４と同一であるので、その説明は省略する。  
図１３は、本実施形態において、表示パネル１１０の複数の電源ラインＶＬと電源ドライバ１４０との接続構成を示す。図１３（ａ）は表示パネル１１０と電源ドライバ１４０との接続構成の全体を示すものであり、図１３（ｂ）は、本実施形態における表示領域Ｈ１〜Ｈ８の構成を説明するために、表示パネル１１０と電源ドライバ１４０との接続構成の一部を拡大して示すものである。表示パネル１１０は、上記各実施形態と同様に、８つの表示領域Ｈ１〜Ｈ８に区分され、これら領域Ｈ１〜Ｈ８毎にそれぞれ同じ数の複数の電源ラインＶＬ、例えば８本の電源ラインＶＬが配列されている。しかしながら、上記第１及び第２の実施形態における表示領域Ｈ１〜Ｈ８は隣接して配列された所定の数の電源ラインＶＬからなるものであったが、本実施形態における表示領域Ｈ１〜Ｈ８は、図１３（ｂ）に示すように、離間して配列された所定の数の電源ラインからなるものである点が相違している。